(57)【要約】【課題】本発明は、装置の小型化が可能であるとともに指向性を有する地上波放送受信機能を備えた携帯型電話装置を提供することを目的とする。【解決手段】放送受信機能を備えた携帯型電話装置本体１に、放送用信号を外部から入力するためのアンテナ用ジャックと外部と音声の入出力を行う音声用ジャックにより構成されるジャック２を設ける。このジャック２に接続されるプラグ１０１を備えたヘッドフォン１００に放送用アンテナ１０３を設ける。【選択図】      図１
2005039318.tif 000002
【特許請求の範囲】
【請求項１】
装置本体が電話用信号を処理する携帯電話機能部と放送用信号を処理する放送受信機能部とを備えた携帯型電話装置において、
前記放送用信号を受信するアンテナと、当該アンテナで受信した前記放送用信号を出力する放送用出力端子と、を備えたアンテナ装置を有するとともに、
前記装置本体が、前記アンテナ装置の前記放送用出力端子が接続されるとともに前記アンテナ装置で受信された前記放送信号が入力される放送入力端子を備え、前記放送入力端子に前記放送用出力端子が接続されたことを検知すると、前記放送用機能部を動作させて前記放送用機能部において処理された前記放送用信号の再生を行うことを特徴とする携帯型電話装置。
【請求項２】
装置本体が電話用信号を処理する携帯電話機能部を備えるとともに放送用信号の処理可能な携帯型電話装置において、
前記放送用信号を受信するアンテナと、当該アンテナで受信した前記放送用信号を処理する放送受信機能部と、該放送受信機能部で処理された前記放送用信号を出力する放送用出力端子と、を備えたアンテナ装置を有するとともに、
前記装置本体が、前記アンテナ装置の前記放送用出力端子が接続されるとともに前記アンテナ装置で処理された前記放送信号が入力される放送入力端子を備え、前記放送入力端子に前記放送用出力端子が接続されたことを検知すると、前記アンテナ装置から入力された前記放送用信号の再生を行うことを特徴とする携帯型電話装置。
【請求項３】
前記装置本体が、前記アンテナ装置の前記放送受信機能部の動作を制御する制御信号を出力する制御用出力端子を備え、
前記アンテナ装置が、前記制御信号が入力されるととも前記制御用出力端子に接続される制御用入力端子を備えることを特徴とする請求項２に記載の携帯型電話装置。
【請求項４】
前記アンテナ装置が、前記電話用信号又は前記放送用信号より得られる音声信号が前記装置本体から入力される第１音声用入力端子を備えるとともに、
前記装置本体が、前記電話用信号又は前記放送用信号より得られる前記音声信号を再生出力する本体用スピーカと、前記アンテナ装置の前記第１音声用入力端子と接続される第１音声用出力端子と、前記本体用スピーカと前記第１音声用出力端子のいずれに前記音声信号を出力するか選択する音声出力切換部と、を備えることを特徴とする請求項１〜請求項３のいずれかに記載の携帯型電話装置。
【請求項５】
前記アンテナ装置が、前記第１音声用入力端子より入力される前記装置本体からの前記音声信号を再生出力するアンテナ装置用スピーカを有することを特徴とする請求項４に記載の携帯型電話装置。
【請求項６】
前記アンテナ装置が、ヘッドフォンを構成することを特徴とする請求項５に記載の携帯型電話装置。
【請求項７】
前記アンテナ装置が、前記第１音声用入力端子より入力される前記装置本体からの前記音声信号を外部に出力する第２音声用出力端子を有することを特徴とする請求項４に記載の携帯型電話装置。
【請求項８】
前記アンテナ装置が、使用者の着衣に固定される固定治具を備えることを特徴とする請求項７に記載の携帯型電話装置。
【請求項９】
前記装置本体の前記第１音声用出力端子に前記アンテナ装置の前記第１音声用入力端子が接続されたとき、前記装置本体が前記第１音声用入力端子が接続されたことを検知して、前記音声出力切換部によって前記音声信号を前記第１音声用出力端子を介して前記アンテナ装置に出力することを特徴とする請求項４〜請求項８のいずれかに記載の携帯型電話装置。
【請求項１０】
前記アンテナ装置が、音声が入力されるアンテナ装置用マイクと、該アンテナ装置用マイクより入力された音声による音声信号を出力する第３音声出力端子と、を備え、
前記装置本体が、前記第３音声出力端子と接続される第２音声入力端子と、音声が入力される本体用マイクと、前記本体用マイクと前記第２音声用入力端子のいずれから前記音声信号を入力するか選択する音声入力切換部と、を備えることを特徴とする請求項４〜請求項９のいずれかに記載の携帯型電話装置。
【請求項１１】
前記アンテナ装置が、前記装置本体以外の外部の装置から音声信号が入力される第３音声入力端子と、音声信号を前記装置本体に出力する第３音声出力端子と、を備え、
前記装置本体が、前記第３音声出力端子と接続される第２音声入力端子と、音声が入力される本体用マイクと、前記本体用マイクと前記第２音声用入力端子のいずれから前記音声信号を入力するか選択する音声入力切換部と、を備えることを特徴とする請求項４〜請求項９のいずれかに記載の携帯型電話装置。
【請求項１２】
前記装置本体の前記第２音声用入力端子に前記アンテナ装置の前記第３音声用出力端子が接続されたとき、前記装置本体が前記第３音声用出力端子が接続されたことを検知して、前記音声出力切換部によって前記音声信号を前記第２音声用入力端子を介して前記携帯電話機能部に送出することを特徴とする請求項１０又は請求項１１に記載の携帯型電話装置。
【請求項１３】
前記放送受信機能部が動作して前記放送信号が再生出力されているとき、前記携帯電話機能部により発呼又は着呼が確認されると、前記放送受信機能部の動作を停止させるとともに、前記携帯電話機能部により受信された前記電話用信号による音声信号を再生出力することを特徴とする請求項１〜請求項１２のいずれかに記載の携帯型電話装置。
【請求項１４】
前記放送受信機能部が動作して前記放送信号が再生出力されているとき、前記携帯電話機能部により発呼又は着呼が確認されると、前記放送受信機能部の動作させたままの状態で、前記携帯電話機能部により受信された前記電話用信号による音声信号を再生出力することを特徴とする請求項１〜請求項１３のいずれかに記載の携帯型電話装置。
【請求項１５】
前記放送信号が映像信号と音声信号とを含むとともに、前記装置本体が映像信号を再生表示する表示部を備え、
前記放送受信機能部が動作して前記放送信号が再生出力されているとき、前記携帯電話機能部により発呼又は着呼が確認されると、前記携帯電話機能部により受信された前記電話用信号による音声信号が再生出力するように音声出力を切り換えるとともに、前記放送受信機能部で処理された前記放送信号から得られる前記映像信号を前記表示部が再生出力することを特徴とする請求項１４に記載の携帯型電話装置。
【請求項１６】
前記アンテナ装置の前記放送出力端子と接続して前記アンテナ装置からの放送信号が入力される放送入力端子と、前記放送入力端子から入力された前記放送信号を伝送する伝送路と、前記伝送路で伝送された前記放送信号を前記装置本体の前記放送入力端子と接続して出力する放送出力端子とを備える延長ケーブルを有することを特徴とする請求項１〜請求項１５のいずれかに記載の携帯型電話装置。
【請求項１７】
前記アンテナ装置のアンテナがダイバーシティアンテナであることを特徴とする請求項１〜請求項１６のいずれかに記載の携帯型電話装置。
【請求項１８】
前記装置本体が映像を再生表示する表示部を備え、
前記アンテナ装置のアンテナによる電界強度が該表示部に表示されることを特徴とする請求項１〜請求項１７のいずれかに記載の携帯型電話装置。
【発明の詳細な説明】
【０００１】
【発明の属する技術分野】
本発明は、携帯型電話装置に関するもので、特に、地上波テレビ放送やラジオ放送などの放送を受信する放送受信機能を備えた携帯型電話装置に関する。
【０００２】
【従来の技術】
近年、携帯型電話装置の需要が広がるとともに、その機能も多種多様化したものが提供されている。又、現在、液晶画面などの表示部の高精細化によって、鮮明な画像を携帯型電話装置の表示部で表示することができるとともに、デジタルデータ圧縮技術の発展に伴い、パケット方式によるデータ通信などを行うことでデータ量の多い映像情報や音声情報を携帯型電話装置により送受信することが可能となっている。そして、インターネットにより配信される動画コンテンツなどを受信して液晶画面などの表示部に再生表示する携帯型電話装置が提供されている。
【０００３】
又、従来技術として、地上波放送を受信する放送受信装置において、携帯電話送受信部を備えることで、基地局から送信される地域識別情報を携帯電話送受信部で受信して現在位置に応じたチャンネル情報に変換することのできる放送受信装置が提案されている（特許文献１参照）。この放送受信装置は、携帯電話送受信部によって、現在通信可能な基地局と通信を行うことで、その基地局が属している放送グループのサービスエリアによる地域識別情報を受信し、その放送グループのサービスエリアに応じたチャンネル設定を自動的に行うことができる。
【０００４】
又、地上波放送の分野においても地上波デジタル放送の実用化が目指されており、そのデジタル技術の発展に伴い、地上波放送を受信するためのチューナの小型化が進められている。このような地上波デジタル放送を受信するための受信部となるチューナを設けることによって、テレビ放送受信用の機能を備えた携帯型電話装置が提案されている（特許文献２参照）。この携帯型電話装置では、地上波デジタル放送受信部で受信された信号より得られた映像情報及び音声情報と、携帯電話用送受信部で受信した信号より得られた映像情報及び音声情報とを、同一のＭＰＥＧ−４処理部で伸張処理することで、その部品数を抑えた構成としている。
【０００５】
【特許文献１】
特開２００３−１７４３７６号公報
【特許文献２】
特開２００３−１５３１１１号公報
【０００６】
【発明が解決しようとする課題】
特許文献１又は特許文献２などのように、地上波放送受信装置としての機能と携帯型電話装置としての機能とを備えた装置が提案されているが、このような装置では、例えば、特許文献１では、携帯電話送受信部に対するアンテナと放送受信部に対するアンテナとが必要である。又、特許文献２においても、筺体に取り付けられた外部アンテナと内蔵アンテナとを備え、それぞれが携帯電話と地上波デジタル放送それぞれの使用周波数に対応したアンテナとされている。このように、このような地上波放送受信装置としての機能を備えた携帯型電話装置では、携帯型電話装置としての機能を動作させるためのアンテナと、地上波放送受信装置としての機能を動作させるためのアンテナとが必要となる。
【０００７】
このように、それぞれのアンテナを設けた場合、携帯型電話装置の小型化の妨げとなるとともに、そのアンテナの大きさについても限界がある。又、このような携帯型電話装置に設けられたアンテナによると、その指向性の広がりに限界があるため、移動体である携帯型電話装置で地上波放送を受信する場合、装置の方向によっては、受信が困難な場合もある。更に、マルチパスによるフェージングの影響を考慮した場合、空間ダイバーシティアンテナとすることでフェージングを抑えてアンテナ利得を高くすることができる。しかしながら、携帯型電話装置に取り付けるには大きさに限界があるため、空間ダイバーシティアンテナを携帯型電話装置に構成するのは困難である。
【０００８】
このような問題を鑑みて、本発明は、装置の小型化が可能であるとともに指向性を有する地上波放送受信機能を備えた携帯型電話装置を提供することを目的とする。
【０００９】
【課題を解決するための手段】
上記目的を達成するために、本発明の携帯型電話装置は、装置本体が電話用信号を処理する携帯電話機能部と放送用信号を処理する放送受信機能部とを備えた携帯型電話装置において、前記放送用信号を受信するアンテナと、当該アンテナで受信した前記放送用信号を出力する放送用出力端子と、を備えたアンテナ装置を有するとともに、前記装置本体が、前記アンテナ装置の前記放送用出力端子が接続されるとともに前記アンテナ装置で受信された前記放送信号が入力される放送入力端子を備え、前記放送入力端子に前記放送用出力端子が接続されたことを検知すると、前記放送用機能部を動作させて前記放送用機能部において処理された前記放送用信号の再生を行うことを特徴とする。
【００１０】
この構成によると、前記装置本体とは別体の前記アンテナ装置に前記放送用信号を受信するアンテナを設けるため、前記装置本体の設置位置に関わらず、前記放送信号の受信を良好なものとすることができる。又、前記装置本体に前記放送用信号を受信するアンテナを設ける必要がないので、前記装置本体を小型化することができる。
【００１１】
又、本発明の携帯型電話装置は、装置本体が電話用信号を処理する携帯電話機能部を備えるとともに放送用信号の処理可能な携帯型電話装置において、前記放送用信号を受信するアンテナと、当該アンテナで受信した前記放送用信号を処理する放送受信機能部と、該放送受信機能部で処理された前記放送用信号を出力する放送用出力端子と、を備えたアンテナ装置を有するとともに、前記装置本体が、前記アンテナ装置の前記放送用出力端子が接続されるとともに前記アンテナ装置で処理された前記放送信号が入力される放送入力端子を備え、前記放送入力端子に前記放送用出力端子が接続されたことを検知すると、前記アンテナ装置から入力された前記放送用信号の再生を行うことを特徴とする。
【００１２】
この構成によると、前記装置本体とは別体の前記アンテナ装置に前記放送用信号を受信するアンテナを設けるため、前記装置本体の設置位置に関わらず、前記放送信号の受信を良好なものとすることができる。又、前記装置本体に前記放送用信号を受信するアンテナと前記放送受信機能部とを設ける必要がないので、前記装置本体を小型化することができる。
【００１３】
又、この携帯型電話装置において、前記装置本体が、前記アンテナ装置の前記放送受信機能部の動作を制御する制御信号を出力する制御用出力端子を備え、前記アンテナ装置が、前記制御信号が入力されるととも前記制御用出力端子に接続される制御用入力端子を備えるものとすることで、前記装置本体によって前記アンテナ装置内の前記放送受信機能部を制御することができる。
【００１４】
又、上述の各携帯型電話装置において、前記アンテナ装置が、前記電話用信号又は前記放送用信号より得られる音声信号が前記装置本体から入力される第１音声用入力端子を備えるとともに、前記装置本体が、前記電話用信号又は前記放送用信号より得られる前記音声信号を再生出力する本体用スピーカと、前記アンテナ装置の前記第１音声用入力端子と接続される第１音声用出力端子と、前記本体用スピーカと前記第１音声用出力端子のいずれに前記音声信号を出力するか選択する音声出力切換部と、を備えるものとしても構わない。
【００１５】
このとき、前記アンテナ装置が、前記第１音声用入力端子より入力される前記装置本体からの前記音声信号を再生出力するアンテナ装置用スピーカを有するものとしても構わない。更に、前記アンテナ装置が、ヘッドフォンを構成するものとしても構わない。
【００１６】
又、前記アンテナ装置が、前記第１音声用入力端子より入力される前記装置本体からの前記音声信号を外部に出力する第２音声用出力端子を有するものとしても構わない。このとき、ヘッドフォンなどが前記第２音声用出力端子に接続される。更に、前記アンテナ装置が、使用者の着衣に固定される固定治具を備えるものとしても構わない。
【００１７】
又、前記装置本体の前記第１音声用出力端子に前記アンテナ装置の前記第１音声用入力端子が接続されたとき、前記装置本体が前記第１音声用入力端子が接続されたことを検知して、前記音声出力切換部によって前記音声信号を前記第１音声用出力端子を介して前記アンテナ装置に出力するものとし、自動的に音声の出力切換を行うようにしても構わない。
【００１８】
又、前記アンテナ装置が、音声が入力されるアンテナ装置用マイクと、該アンテナ装置用マイクより入力された音声による音声信号を出力する第３音声出力端子と、を備え、前記装置本体が、前記第３音声出力端子と接続される第２音声入力端子と、音声が入力される本体用マイクと、前記本体用マイクと前記第２音声用入力端子のいずれから前記音声信号を入力するか選択する音声入力切換部と、を備えるものとしても構わない。
【００１９】
又、前記アンテナ装置が、前記装置本体以外の外部の装置から音声信号が入力される第３音声入力端子と、音声信号を前記装置本体に出力する第３音声出力端子と、を備え、前記装置本体が、前記第３音声出力端子と接続される第２音声入力端子と、音声が入力される本体用マイクと、前記本体用マイクと前記第２音声用入力端子のいずれから前記音声信号を入力するか選択する音声入力切換部と、を備えるものとしても構わない。このとき、前記第３音声入力端子に外部マイクが接続される。
【００２０】
これらの携帯型電話装置において、前記装置本体の前記第２音声用入力端子に前記アンテナ装置の前記第３音声用出力端子が接続されたとき、前記装置本体が前記第３音声用出力端子が接続されたことを検知して、前記音声出力切換部によって前記音声信号を前記第２音声用入力端子を介して前記携帯電話機能部に送出する。
【００２１】
上述の各携帯型電話装置において、前記放送受信機能部が動作して前記放送信号が再生出力されているとき、前記携帯電話機能部により発呼又は着呼が確認されると、前記放送受信機能部の動作を停止させるとともに、前記携帯電話機能部により受信された前記電話用信号による音声信号を再生出力することで、前記放送受信機能部による放送受信を行っているときに、発呼又は着呼したときに、電話機能に自動的に移行することができる。
【００２２】
又、前記放送受信機能部が動作して前記放送信号が再生出力されているとき、前記携帯電話機能部により発呼又は着呼が確認されると、前記放送受信機能部の動作させたままの状態で、前記携帯電話機能部により受信された前記電話用信号による音声信号を再生出力することで、前記放送受信機能部による放送受信を行っているときに、発呼又は着呼したときに、放送機能と電話機能とを同時に動作させることができる。このとき、前記放送信号が映像信号と音声信号とを含むとともに、前記装置本体が映像信号を再生表示する表示部を備え、前記放送受信機能部が動作して前記放送信号が再生出力されているとき、前記携帯電話機能部により発呼又は着呼が確認されると、前記携帯電話機能部により受信された前記電話用信号による音声信号が再生出力するように音声出力を切り換えるとともに、前記放送受信機能部で処理された前記放送信号から得られる前記映像信号を前記表示部が再生出力するものとしても構わない。
【００２３】
又、留守番電話機能を備えるとき、前記携帯電話機能部により着呼が確認されると、前記放送受信機能部の動作させたままの状態で、前記留守番電話機能を動作させて、着信した音声信号を記録させるものとしても構わない。
【００２４】
又、前記アンテナ装置の前記放送出力端子と接続して前記アンテナ装置からの放送信号が入力される放送入力端子と、前記放送入力端子から入力された前記放送信号を伝送する伝送路と、前記伝送路で伝送された前記放送信号を前記装置本体の前記放送入力端子と接続して出力する放送出力端子とを備える延長ケーブルを有するものしても構わない。このような延長ケーブルを利用することで、前記装置本体を中心として前記アンテナ装置の設置範囲が広がるため、より受信状態が良好な位置に前記アンテナ装置を設置することができる。
【００２５】
又、前記アンテナ装置のアンテナをダイバーシティアンテナとして、マルチパスによるフェージングを抑制することができ、その受信状態をより良好なものとすることができる。
【００２６】
更に、前記装置本体が映像を再生表示する表示部を備え、前記アンテナ装置のアンテナによる電界強度を該表示部に表示するものとすることで、使用者が放送信号の受信状態を容易に確認することができる。
【００２７】
【発明の実施の形態】
本発明の実施形態について、図面を参照して説明する。図１は、本実施形態の携帯型電話装置の構成を示す外観斜視図である。又、図２は、図１の携帯型電話装置本体及びヘッドフォンの内部構成を示すブロック図である。
【００２８】
図１の携帯型電話装置は、携帯型電話装置本体１と、地上波放送を受信するための放送用アンテナ１０３を備えるとともに携帯型電話装置本体１と接続されて使用されるヘッドフォン１００とを備える。そして、携帯型電話装置１には、ヘッドフォン１００が接続されるジャック２と、着信音を含む音声を出力するスピーカ３と、音声が入力されるマイク４と、電話番号や各種操作入力を行うためのキー操作部５と、画像やテキストなどの表示を行う液晶画面などの表示部６と、電話用の電波を送受信する電話用アンテナ７と、を備える。
【００２９】
又、ヘッドフォン１００は、ジャック２に挿入されて携帯型電話装置本体１と接続されるプラグ１０１と、プラグ１０１を介して携帯型電話装置本体１に入出力する電気信号を伝送するケーブル部１０２と、放送用の電波を受信する放送用アンテナ１０３と、プラグ１０１及びケーブル部１０２を介して入力される音声信号に応じて音声を出力するスピーカ１０４と、音声入力されるマイク１０５と、を備える。
【００３０】
このように携帯型電話装置本体１とヘッドフォン１００が構成されるとき、携帯型電話装置本体１のジャック２は、音声信号が入出力される音声用ジャック２ａと、放送用アンテナ１０３で受信された放送信号が入力されるアンテナ用ジャック２ｂと、を備え、又、ヘッドフォン１００のプラグ１０１は、音声用ジャック２ａに挿入されるとともに音声信号が入出力される音声用プラグ１０１ａと、アンテナ用ジャック２ｂに挿入されるとともに放送信号を出力するアンテナ用プラグ１０１ｂと、を備える。
【００３１】
又、携帯型電話装置本体１は、図２に示すように、電話用アンテナ７を介して無線電話回線と接続されるとともに無線電話回線に送受信する信号の変復調及び符号化及び復号化を行う携帯電話機能部８と、ヘッドフォン１００の放送用アンテナ１０３により受信された放送信号の復調及び復号化を行う放送受信機能部９と、携帯型電話装置本体１の各ブロックの動作制御及び信号のやりとりを行う主制御部１０と、音声信号を音声用ジャック２ａ及びスピーカ３のいずれに出力するか切り換える音声出力切換部１１と、音声信号を音声用ジャック２ａ及びマイク４のいずれから入力するか切り換える音声入力切換部１２と、ジャック２における音声用ジャック２ａ及びアンテナ用ジャック２ｂそれぞれの接続状態を検出する接続検出部１３と、携帯電話機能部８又は放送受信機能部９から送出される信号を記録するメモリ１４と、を備える。
【００３２】
このとき、携帯電話機能部８は、電話用アンテナ７で受信した高周波信号及びで電話用アンテナ７より送信する高周波信号を増幅する高周波アンプ８ａと、高周波アンプ８ａで増幅された高周波信号を復調するとともに変調した高周波信号を高周波アンプ８ａに送出する変復調回路８ｂと、変復調回路８ｂで復調された信号を復号化して主制御部１０に送出する復号化回路８ｃと、主制御部１０より与えられる音声信号を含むデータ信号を符号化して変復調回路８ｃに送出する符号化回路８ｄと、を備える。又、放送受信機能部９は、ヘッドフォン１００の放送用アンテナ１０３で受信された放送信号より所望のチャンネルの放送局の放送信号を選択受信するチューナ９ａと、チューナ９ａで選択受信された放送信号を復号化する復号化回路９ｂと、を備える。
【００３３】
このように携帯型電話装置本体１が構成されるとき、ヘッドフォン１００は、スピーカ１０４がケーブル部１０２内の音声出力用のケーブル１０２ａを通じて音声用プラグ１０１ａの音声信号入力端子（不図示）と接続されるとともに、マイク１０５がケーブル部１０２内の音声入力用のケーブル１０２ｂを通じて音声用プラグ１０１ａの音声信号出力端子（不図示）と接続される。又、放送用アンテナ１０３が、ケーブル部１０２内の放送信号伝送用ケーブル（フィーダ線又は同軸ケーブル）１０２ｃを通じてアンテナ用プラグ１０１ｂと接続される。
【００３４】
又、ヘッドフォン１００の放送用アンテナ１０３は、図３に示すように、金属導体から成るとともに放送信号による電波の波長に応じた長さととなるアンテナ素子２０１と、アンテナ素子２０１によって誘導されて得た放送信号を増幅する空中線増幅部２０２と、空中線増幅部２０２で増幅された放送信号をケーブル部１０２内の放送信号伝送用ケーブル１０２ｃのインピーダンスに合致するようにインピーダンス変換するインピーダンス変換部２０３と、インピーダンス変換部２０３によって変換されたインピーダンスに合致したケーブル部１０２内の放送信号伝送用ケーブル１０２ｃと接続するためのケーブル接続部２０４と、から構成される。
【００３５】
尚、このとき、図４のように、アンテナ素子２０１ａ，２０１ｂが、左右のスピーカ１０４ａ，１０４ｂそれぞれに設けられるようにすることで、放送用アンテナ１０３を空間的なダイバーシティアンテナとすることができる。又、アンテナ素子２０１ａ，２０１ｂそれぞれの指向性を異なるものとすることで、広い指向性を備えたダイバーシティアンテナを構成することができ、マルチパスによるフェージングの影響を抑制できる。
【００３６】
このような構成の携帯型電話装置において、まず、携帯型電話装置本体１が放送受信機能部９がＯＦＦであるとともに携帯電話機能部８により発信及び着信が行われていない待ち受けモードのときの動作について、図５のフローチャートを参照して説明する。携帯型電話装置本体１が待ち受けモードであるとき、音声用ジャック２ａに音声用プラグ１０１ａが挿入されたか否かが接続検出部１３で確認される（ＳＴＥＰ１）。
【００３７】
このとき、音声用ジャック２ａに音声用プラグ１０１ａが挿入されていることが確認されると（Ｙｅｓ）、音声出力切換部１１が音声信号を音声用ジャック２ａを介してヘッドフォン１００に出力するように、又、音声入力切換部１２が音声用ジャック２ａを介してヘッドフォン１００からの音声信号を入力するように、主制御部１０が制御する（ＳＴＥＰ２）。よって、ヘッドフォン１００のスピーカ１０４より音声が再生出力される。又、ヘッドフォン１００のマイク１０５からの音声信号が音声用ジャック２ａを介して主制御部１０に入力される。又、ＳＴＥＰ１において、音声用ジャック２ａに音声用プラグ１０１ａが挿入されていない場合は（Ｎｏ）、スピーカ３より音声が再生出力されるとともに、マイク４からの音声が音声信号として入力される。
【００３８】
そして、ＳＴＥＰ１において音声用ジャック２ａに音声用プラグ１０１ａが挿入されていないとき（Ｎｏ）、又は、ＳＴＥＰ２での音声出力切換部１１及び音声入力切換部１２での切換動作がおこなわれたとき、主制御部１０では、まず、キー操作部５によって発呼操作が行われているか否かが確認される（ＳＴＥＰ３）。そして、発呼操作が行われていない場合（Ｎｏ）、次に、主制御部１０によって、電話用アンテナ７及び携帯電話機能部８を介して着呼したか否かが確認される（ＳＴＥＰ４）。
【００３９】
このとき、携帯電話機能部８による着呼が確認されない場合（Ｎｏ）、キー操作部５が操作されて地上波放送の受信要求が成されたか否かが主制御部１０で確認される（ＳＴＥＰ５）。そして、地上波放送の受信要求が成されていないとき（Ｎｏ）、アンテナ用ジャック２ｂにアンテナ用プラグ１０１ｂが挿入されたか否かが接続検出部１３で確認される（ＳＴＥＰ６）。又、キー操作部５が操作されて地上波放送の受信要求された場合も（Ｙｅｓ）、アンテナ用ジャック２ｂにアンテナ用プラグ１０１ｂが挿入されたか否かが接続検出部１３で確認される（ＳＴＥＰ７）。このとき、アンテナ用ジャック２ｂにアンテナ用プラグ１０１ｂが挿入されていないことが確認されると（Ｎｏ）、主制御部１０が表示部６に放送用アンテナ１０３の接続を促す表示を行い（ＳＴＥＰ８）、再び、ＳＴＥＰ７に移行する。
【００４０】
そして、ＳＴＥＰ６又はＳＴＥＰ７において、アンテナ用ジャック２ｂにアンテナ用プラグ１０１ｂが挿入されていることが確認されたとき（Ｙｅｓ）、主制御部１０によって放送受信機能部９をＯＮとする（ＳＴＥＰ９）。よって、アンテナ用ジャック２ｂに挿入されたアンテナ用プラグ１０１ｂと電気的に接続されている放送用アンテナ１０３により受信された高周波信号が、チューナ９ａに送出される。よって、チューナ９ａでは、放送受信機能部９がＯＮとされたときに合わせられているチャンネルの放送信号を選択受信すると、その電界強度を確認する。そして、主制御部１０は確認された電界強度が十分な大きさであるか判定し、受信可能な状態であるか否かを確認する（ＳＴＥＰ１０）。
【００４１】
このとき、電界強度が十分な大きさであり、受信可能な状態であることが確認されると（Ｙｅｓ）、表示部９における画像表示を放送受信機能９の復号化回路９ｂで復号化された映像信号に基づく表示に切り換える（ＳＴＥＰ１１）。同様に、音声出力切換部１１に送出する音声信号が放送受信機能９の復号化回路９ｂで復号化された音声信号に切り換える（ＳＴＥＰ１２）。即ち、表示部９に地上波放送より得られた映像信号が送出されるとともに、音声出力切換部１１に地上波放送より得られた音声信号が送出される。
【００４２】
よって、ＳＴＥＰ１において音声用ジャック２ａに音声用プラグ１０１ａが挿入されていないことが確認されたとき、地上波放送による映像を表示部６に再生表示するとともに、地上波放送による音声をスピーカ３により再生出力する放送受信モードに移行する。又、ＳＴＥＰ２における音声出力切換部１１の切換動作が行われたとき、地上波放送による映像を表示部６に再生表示するとともに、地上波放送による音声をヘッドフォン１００のスピーカ１０４により再生出力する放送受信モードに移行する。
【００４３】
又、ＳＴＥＰ１０において、放送用アンテナ１０３で受信した信号の電界強度が十分な大きさでなく、地上波放送が受信可能でない場合（Ｎｏ）、表示部６に地上波放送受信不可能であることを報知する表示を行い（ＳＴＥＰ１３）、ＳＴＥＰ１に移行する。又、ＳＴＥＰ３で発呼操作がなされたとき（Ｙｅｓ）、又は、ＳＴＥＰ４で着呼が確認されたとき（Ｙｅｓ）、携帯電話機能部８が動作して通話状態となる（ＳＴＥＰ１４）。そして、通話が終了したか否かが確認され（ＳＴＥＰ１５）、通話が終了したことが確認されると（Ｙｅｓ）、ＳＴＥＰ１に移行する。
【００４４】
尚、ＳＴＥＰ１４のように通話状態となったとき、電話用アンテナ７で受信された高周波信号が高周波アンプ８ａで増幅された後、変復調回路８ｂで復調される。そして、変復調回路８ｂで復調された信号は、復号化回路８ａで復号化された後、主制御部１０によって音声信号を音声出力切換部１１に送出する。このとき、音声用ジャック２ａに音声用プラグ１０１ａが挿入されていないとき、スピーカ３に音声信号が与えられ、音声が再生される。又、音声用ジャック２ａに音声用プラグ１０１ａが挿入されているとき、ヘッドフォン１００のスピーカ１０４に音声信号が与えられ、音声が再生される。
【００４５】
音声用ジャック２ａに音声用プラグ１０１ａが挿入されていないとき、マイク４に入力された音声による音声信号が音声入力切換部１２によって主制御部１０に送出される。又、音声用ジャック２ａに音声用プラグ１０１ａが挿入されているとき、ヘッドフォン１００のマイク１０５に入力された音声による音声信号が音声入力切換部１２によって主制御部１０に送出される。そして、主制御部１０に送出された音声信号が符号化回路８ｄで符号化された後、変復調回路８ｂで変調される。そして、この変復調回路８ｂで変調された信号が高周波アンプ８ａで増幅された高周波信号として、電話用アンテナ７より送信される。
【００４６】
次に、携帯型電話装置本体１が放送受信機能部９をＯＮとした放送受信モードであるときの動作について、図６のフローチャートを参照して説明する。上述のようにして放送受信モードに移行したとき、まず、キー操作部５が操作されて放送受信機能部９のＯＦＦが指示されたか否かが主制御部１０によって確認される（ＳＴＥＰ１０１）。そして、放送受信機能部９のＯＦＦが指示されていない場合（Ｎｏ）、アンテナ用ジャック２ｂにアンテナ用プラグ１０１ｂが挿入されているか否かが接続検出部１３で確認される（ＳＴＥＰ１０２）。
【００４７】
このとき、アンテナ用ジャック２ｂにアンテナ用プラグ１０１ｂが挿入されていると（Ｙｅｓ）、操作キー５によってチャンネル切換操作が行われたか否かが主制御部１０で確認される（ＳＴＥＰ１０３）。そして、チャンネル切換操作があったとき（Ｙｅｓ）、指示されたチャンネルの放送信号を選択受信できるように、チューナ９ａにおける局部発振周波数を指示されたチャンネル周波数に変更する（ＳＴＥＰ１０４）。このようにしてＳＴＥＰ１０４でチャンネル切換を行ったとき、又は、ＳＴＥＰ１０３でチャンネル切換操作が確認されなかったとき（Ｎｏ）、主制御部１０によってキー操作部５によって発呼操作が行われているか否かが確認される（ＳＴＥＰ１０５）。
【００４８】
そして、発呼操作が行われていない場合（Ｎｏ）、主制御部１０によって、相手先からの着呼を受け付けない着信拒否状態とされているか否かが確認される（ＳＴＥＰ１０６）。このとき、着信拒否状態でない場合（Ｎｏ）、電話用アンテナ７及び携帯電話機能部８を介して着呼したか否かが確認される（ＳＴＥＰ１０７）。尚、着呼については、表示部６に表示することで使用者に報知するようにしても構わないし、スピーカ３又はスピーカ１０４で音声出力することで使用者に報知するようにしても構わない。そして、着呼したことが確認されると（Ｙｅｓ）、発呼側の音声を音声信号としてメモリ１４に記録する留守番電話機能がＯＮとされているか否かが主制御部１０によって確認される（ＳＴＥＰ１０８）。このように留守番電話機能がＯＮとされているとき、着呼したことを報知しないようにしても構わない。
【００４９】
その後、ＳＴＥＰ１０５で発呼操作が確認されたとき（Ｙｅｓ）、又は、ＳＴＥＰ１０８で留守電機能がＯＦＦとされているとき（Ｎｏ）、主制御部１０によって、携帯電話機能部８内の復号化回路８ｃで復号化された音声信号が音声出力切換部１１に送出されるように、出力される音声信号の切換制御が行われる（ＳＴＥＰ１０９）。そして、発呼操作又は着呼が確認されると放送受信機能部９をＯＦＦとする電話優先機能がＯＮとされているか否かが確認される（ＳＴＥＰ１１０）。このとき、電話優先機能がＯＮとされていることが確認されると（Ｙｅｓ）、放送受信機能部９がＯＦＦとされるとともに、相手先との通信接続が行われて通話状態となる（ＳＴＥＰ１１１）。
【００５０】
そして、相手先と通話状態になると、相手先又は自機器で通話の切断が確認されたか否かが確認される（ＳＴＥＰ１１２）。このとき、通話の切断が確認されると（Ｙｅｓ）、待ち受けモードに移行する。又、ＳＴＥＰ１０１で放送受信機能９のＯＦＦが指示されたとき（Ｙｅｓ）、又は、ＳＴＥＰ１０２でアンテナ用ジャック２ｂにアンテナ用プラグ１０１ｂが挿入されていないことが確認されたときにおいても（Ｎｏ）、放送受信機能９をＯＦＦとして携帯電話機能８のみをＯＮとして（ＳＴＥＰ１１３）、待ち受けモードに移行する。
【００５１】
又、ＳＴＥＰ１０８において留守電機能がＯＮとされているとき（Ｙｅｓ）、メモリ１４に格納されている応答メッセージとなる音声信号を読み出して、符号化回路８ｄで符号化した後、変復調回路８ｂで変調して、高周波アンプ８ａ及びアンテナ７を介して送信する（ＳＴＥＰ１１４）。その後、相手先からの音声信号を含む高周波信号をアンテナ７及び高周波アンプ８ａを介して受信すると、変復調回路８ｂで復調した後、復号化回路８ｃで復号化し、主制御部１０により復号化された音声信号をメモリ４に格納する（ＳＴＥＰ１１５）。このとき、相手との通話が切断されたり、又は、記録時間が経過したことが確認されることで、留守番電話用の記録の終了が確認される（ＳＴＥＰ１１６）。
【００５２】
又、ＳＴＥＰ１１０で電話優先機能がＯＦＦとされていることが確認されるとき（Ｎｏ）、放送受信機能がＯＮであるため、受信された放送信号より得られる映像信号による映像が表示部６で再生表示されたまま、相手先との通信接続が行われて通話状態となる（ＳＴＥＰ１１７）。このように相手先と通話状態になると、相手先又は自機器で通話の切断が確認されたか否かが確認される（ＳＴＥＰ１１８）。そして、通話の切断が確認されると（Ｙｅｓ）、主制御部１０によって、放送受信機能部９内の復号化回路９ｂで復号化された音声信号が音声出力切換部１１に送出されるように、出力される音声信号の切換制御が行われる（ＳＴＥＰ１１９）。
【００５３】
このように動作するとき、ＳＴＥＰ１０６で着信拒否状態とされていることが確認されたとき（Ｙｅｓ）、又は、ＳＴＥＰ１１６で通話の切断が確認されたとき（Ｙｅｓ）、又は、ＳＴＥＰ１１９で音声出力切換部１１に復号化回路９ｂで復号化された音声信号が送出されるように切り換えられたとき、放送受信モードのままＳＴＥＰ１０１に移行する。又、ＳＴＥＰ１１２、ＳＴＥＰ１１８において通話が終了するまで、ＳＴＥＰ１１１、ＳＴＥＰ１１７に移行した後、ＳＴＥＰ１１２、ＳＴＥＰ１１８それぞれにおいて通話終了の確認を行う。又、ＳＴＥＰ１１６において留守番電話用の記録の終了が確認されなかった場合（Ｎｏ）、ＳＴＥＰ１１５に移行して留守番電話用の記録動作を続ける。
【００５４】
尚、このように動作するとき、携帯型電話装置本体１の携帯電話機能部８によって電子メールを含むデータの送受信が可能である場合、以下のように、携帯電話機能部８及び放送受信機能部９を動作させる。即ち、放送受信モードであるとき、データの送信を行うようにキー操作部５が操作されたとき、表示部６には、表示している放送信号による映像の上にテキスト入力用の領域を表示するとともに、送信終了後、このテキスト入力用の領域表示を削除する。このとき、放送受信機能部９をＯＦＦとして、テキスト入力用の表示を表示部６に表示させるようにしても構わない。更に、電子メールなどのデータを受信したとき、表示部６において、放送信号による映像の上に新たにテキスト出力用の領域を表示するようにしても構わないし、表示部６への表示を行わずにメモリ１４にデータを格納するようにしても構わない。
【００５５】
又、着呼して通話状態となるとき、着呼したときの呼び出し音の回数により自動的に通話状態に移行するものとしても構わないし、又、キー操作部５が操作されることによって通話状態に移行するものとしても構わない。更に、キー操作部５が操作されることによって通話状態に移行する場合、相手先が切断するまで通信が切断されないようにしても構わないし、着呼したときの呼び出し音の回数により通信を切断するようにしても構わない。
【００５６】
＜放送用アンテナを備えたヘッドフォンを用いた他の構成例＞
上述の実施形態のように、放送用アンテナ１０３を備えたヘッドフォン１００を放送用アンテナのみとして使用することも可能である。このようにヘッドフォン１００を使用するとき、放送用の電波をより良好な場所にヘッドフォン１００を設置する場合、図７のように、携帯型電話装置本体１より離れた位置にヘッドフォン１００を設置することがある。このように、携帯型電話装置本体１よりも遠い場所にヘッドフォン１００を設置することが可能となるように、携帯型電話装置本体１のジャック２のアンテナ用ジャック２ｂに挿入するアンテナ用プラグ２５１を備えるとともにヘッドフォン１００のプラグ１０１のアンテナ用プラグ１０１ｂが挿入されるアンテナ用ジャック２５２を備えた延長ケーブル２５０が接続される。
【００５７】
このような延長ケーブル２５０を使用して接続することで、ヘッドフォン１００を携帯型電話装置本体１より離れた位置に設置することができる。又、音声用ジャック２ａを開放した状態とするとともにアンテナ用ジャック２ｂのみを挿入することができるため、携帯型電話装置本体１のスピーカ３より音声を再生出力することができる。尚、本例では、延長ケーブル２５０が放送信号のみを伝送するものとしたが、音声用ジャック２ａに挿入する音声用プラグと、音声用プラグ１０１ｂが挿入される音声用ジャックを設けるようにしても構わない。このとき、携帯型電話装置本体１のキー操作部５が操作されて音声がスピーカ３より出力されるように指示されることで、受信した放送信号より得られる音声信号による音声をスピーカ３より再生出力することができる。
【００５８】
＜外部の放送用アンテナを用いた他の構成例＞
又、ヘッドフォン１００の代わりに、ケーブル部１０２及びスピーカ１０４及びマイク１０５及び音声用プラグ１０１ａによって構成されるヘッドフォン１００ａが接続されるとともに、携帯型電話装置本体１のジャック２に挿入されるプラグ３０１を備えた図８に示すベルトグリップ型アンテナ装置３００を用いても構わない。
【００５９】
このアンテナ装置３００は、ジャック２の音声用ジャック２ａ及びアンテナ用ジャック２ｂそれぞれに挿入される音声用プラグ３０１ａ及びアンテナ用プラグ３０１ｂを備えたプラグ３０１と、音声用プラグ３０１ａと接続されたケーブル及びアンテナ用プラグ３０１ｂと接続されたケーブルを備えたケーブル部３０２と、ケーブル部３０２のアンテナ用プラグ３０１ｂと接続されたケーブルと電気的に接続された空中線増幅部２０２及びインピーダンス変換部２０３及びケーブル接続部２０４（図３参照）を備えたアンテナ装置本体３０３と、ケーブル部３０２の音声用プラグ３０１ａと接続されたケーブルと電気的に接続されるとともにヘッドフォン１００ａの音声用プラグ１０１ａが挿入される音声用ジャック３０４と、アンテナ装置本体３０３の空中線増幅部２０２と接続されるアンテナ素子２０１とを備える。
【００６０】
更に、このアンテナ装置３００は、携帯型電話装置の使用者のベルトや着衣などに固定するために、逆Ｕ字型の連結部材３０５ａでアンテナ装置本体３０３と連結された固定治具３０５を備える。この図８に示すアンテナ装置３００を用いることによって、従来より使用されているスピーカ１０４及びマイク１０５を備えたヘッドフォン１００ａの使用を可能とすることができる。
【００６１】
尚、この固定治具３０５については、図８に示す構造に限られるものでなく、例えば、ベルトを通すような円筒状の構造としても構わない。又、このようなアンテナ装置３００を使用したとき、音声用ジャック３０４に音声用プラグ１０１ａが挿入されていない場合、音声用プラグ１０１ａが挿入されていないことを示す信号を音声用プラグ３０１ａより出力するようにして、携帯型電話装置本体１にヘッドフォン１００ａが使用されていないことを報知するようにしても構わない。
【００６２】
更に、図９に示すように、アンテナ装置３００の構成から音声用プラグ３０１ａ及び音声用ジャック３０４を削除した構成のアンテナ装置３００ａとしても構わない。このとき、図９に示すように、このアンテナ装置３００ａのアンテナ用プラグ３０１ｂとヘッドフォン１００ａの音声用プラグ１０１ａが携帯型電話装置本体１のアンテナ用ジャック２ｂ及び音声用ジャック２ａに挿入される。又、音声用ジャック２ａにヘッドフォン１００ａの音声用プラグ１０１ａが挿入されていない場合、携帯型電話装置本体１のスピーカ３より音声が再生出力される。
【００６３】
又、図１０のように、ヘッドフォン１００の構成に携帯型電話装置本体１内の放送受信機能部９と主制御部１０からの制御信号が入力される制御用プラグ１０１ｃとを加えた構成とするヘッドフォン１００ｂとしても構わない。このとき、図１０のように、携帯型電話装置本体１ａが、携帯型電話装置本体１から放送受信機能部９を削除されるとともに主制御部１０からの制御信号が出力される制御用ジャック２ｃが付加された構成とされる。
【００６４】
このような携帯型電話装置本体１ａは、アンテナ用ジャック２ｂからは、ヘッドフォン１００ａ内の放送受信機能部９で復号化されるとともにアンテナ用プラグ１０１ｂから出力される映像信号及び音声信号から成る放送信号が入力されて、主制御部１０に与えられる。又、携帯型電話装置本体１ａの主制御部１０より出力されるチャンネル選択などの制御信号が制御用ジャック２ｃから出力されると、この制御信号が制御用プラグ１０１ｃより入力されて、ヘッドフォン１００ａ内の放送受信機能部９が制御される。尚、アンテナ装置３００についても同様に放送受信機能部と制御信号が入力される制御用プラグとが設けられるようにしても構わない。又、このように放送受信機能部をヘッドフォン又はアンテナ装置に備える場合、電池などから電力供給される。
【００６５】
又、図１１のように、携帯型電話装置本体１の表示部６に、電話用アンテナ７により受信された信号の電界強度を示す携帯電話用電界強度表示６ａ以外に、放送用アンテナ１０３により受信された信号の電界強度を示す放送用電界強度表示６ｂが表示されるようにしても構わない。このようにすることで、携帯型電話装置の使用者は、携帯型電話装置本体１の表示部６の放送用電界強度表示６ｂより放送用アンテナ１０３による受信が良好であるか否かを容易に確認することができる。
【００６６】
更に、本実施形態において、携帯型電話装置本体１のジャック２を音声用ジャック２ａ及びアンテナ用ジャック２ｂの２つのジャックで構成されるものとし、ヘッドフォン１００のプラグ１０１を音声用プラグ１０１ａ及びアンテナ用プラグ１０１ｂの２つのプラグで構成されるものとした。しかしながら、ジャック２を１つのジャックとするとともに、プラグ１０１を１つのプラグとしても構わない。
【００６７】
このとき、図１２のように、プラグ１０１に、先端から順に、放送信号が出力される放送端子１０１ｘと、音声信号が出力される音声出力端子１０１ｙと、音声信号が入力される音声入力端子１０１ｚと、接地端子１０１ｗと、が設けられる。又、ジャック２には、放送端子１０１ｘ、音声出力端子１０１ｙ、音声入力端子１０１ｚ、接地端子１０１ｗそれぞれと電気的に接続される接点（不図示）が設けられる。よって、ヘッドフォン１００ａのような放送端子１０１ｘが存在しない従来のヘッドフォンの音声用プラグ１０１ａが接続されたとき、ジャック２には放送端子１０１ｘとの接点への電気的な接続がないため、携帯型電話装置本体１は放送信号の入力がないことを検知することができる。
【００６８】
又、本発明において、電話に使用される周波数帯域と、放送信号に使用される周波数帯域とが同一の周波数帯域とされた場合、１つのアンテナで電話用の信号と放送信号とを受信することができる。よって、携帯電話機能部と放送受信機能部とを所定時間毎に高速で切り換えるとともに、携帯電話機能部及び放送受信機能部で復号化された信号をメモリなどで一時的に格納することによって、１つのアンテナで携帯電話機能と放送受信機能とを同時に使用することができる。このとき、携帯型電話装置本体のアンテナにより受信するようにしても構わないし、ヘッドフォンやアンテナ装置にもうけられたアンテナにより受信するようにしても構わない。
【００６９】
【発明の効果】
本発明によると、装置本体とは別体の放送信号を受信するアンテナ装置を設けるので、装置本体に放送信号受信用のアンテナを設ける必要がなくなり、装置を小型化することができる。よって、携帯型電話装置として装置本体を利用する場合、その携帯性に便利なものとなる。又、装置本体とは別体であるので、受信状態が良好な位置にアンテナ装置を設置することができるので、装置本体の位置によらず、放送信号の受信状態を良好なものとすることができる。
【００７０】
又、装置本体の各端子への接続により、自動的に、機能動作の切換及び音声出力の切換を行うことができるため、使用者にとって操作が容易なものとすることができる。又、アンテナをダイバーシティアンテナとすることで、マルチパスによるフェージングを抑制することができ、その受信状態をより良好なものとすることができる。更に、電界強度を表示部に表示することで、使用者が容易に放送信号の受信状態を容易に確認することができる。
【図面の簡単な説明】
【図１】本発明の携帯型電話装置の構成を示す外観斜視図。
【図２】本発明の携帯型電話装置の内部構成を示すブロック図。
【図３】本発明の携帯型電話装置に設けられるヘッドフォンの構成を示すブロック図。
【図４】本発明の携帯型電話装置に設けられるヘッドフォンの別の構成を示す外観斜視図。
【図５】本発明の携帯型電話装置における携帯型電話装置本体の待ち受けモードでの動作を示すフローチャート。
【図６】本発明の携帯型電話装置における携帯型電話装置本体の放送受信モードでの動作を示すフローチャート。
【図７】放送用アンテナを備えたヘッドフォンを用いた本発明の携帯型電話装置の他の構成を示す外観斜視図。
【図８】外部の放送用アンテナを用いた本発明の携帯型電話装置の他の構成を示す外観斜視図。
【図９】外部の放送用アンテナを用いた本発明の携帯型電話装置の他の構成を示す外観斜視図。
【図１０】本発明の携帯型電話装置におけるヘッドフォンの別の構成を示すブロック図。
【図１１】本発明の携帯型電話装置における携帯型電話装置本体の表示部の表示例。
【図１２】本発明の携帯型電話装置におけるヘッドフォンのプラグの別の構成を示す図。
【符号の説明】
１    携帯型電話装置本体
２    ジャック
３    スピーカ
４    マイク
５    キー操作部
６    表示部
７    電話用アンテナ
８    携帯電話機能部
９    放送受信機能部
１０    主制御部
１１    音声出力切換部
１２    音声入力切換部
１３    接続検出部
１４    メモリ
１００    ヘッドフォン
１０１    プラグ
１０２    ケーブル部
１０３    放送用アンテナ
１０４    スピーカ
１０５    マイク
【図１】
2005039318.tif 000003
【図２】
2005039318.tif 000004
【図３】
2005039318.tif 000005
【図４】
2005039318.tif 000006
【図５】
2005039318.tif 000007
【図６】
2005039318.tif 000008
【図７】
2005039318.tif 000009
【図８】
2005039318.tif 000010
【図９】
2005039318.tif 000011
【図１０】
2005039318.tif 000012
【図１１】
2005039318.tif 000013
【図１２】
2005039318.tif 000014